(57)【要約】  近距離無線通信を用いてメディアスクリーンとインタラクトするための方法、装置及びシステムは、近距離無線通信能力を有する表示装置の近傍にある近距離無線通信可能なモバイル通信装置の識別子を決定することと、決定された近距離無線通信可能なモバイル通信装置の識別子に基づいて、前記表示装置に通信すべきコンテンツを選択することとを含む。一例において、前記表示装置に通信すべきコンテンツを選択することは、前記表示装置上で提示されるようにスケジュールされていたものの代わりのコンテンツ部分を表示することを含む。
2014523674.tif 000002
【特許請求の範囲】
【請求項１】
表示装置上のコンテンツとインタラクトするための方法であって、
前記表示装置の近傍にある近距離無線通信可能なモバイル通信装置の識別子を決定するステップであり、前記表示装置は近距離無線通信能力を含む、ステップと、
決定された前記近距離無線通信可能なモバイル通信装置の前記識別子に基づいて、前記表示装置に通信すべきコンテンツを選択するステップと、
を有する方法。
【請求項２】
前記近距離無線通信可能なモバイル通信装置の前記識別子は、前記モバイル通信装置の近距離無線通信（ＮＦＣ）ＩＤを用いて決定される、請求項１に記載の方法。
【請求項３】
前記近距離無線通信可能なモバイル通信装置の前記識別子は、前記モバイル通信装置のユーザによって提供される識別情報を用いて決定される、請求項１に記載の方法。
【請求項４】
決定された前記近距離無線通信可能なモバイル通信装置の前記識別子に基づいて前記表示装置に通信すべきコンテンツを選択するステップは、前記モバイル通信装置の識別を受けて、前記表示装置上で提示されるようにスケジュールされていたものの代わりのコンテンツ部分を表示することを有する、請求項１に記載の方法。
【請求項５】
前記代わりのコンテンツ部分は、識別された前記モバイル通信装置のユーザに関心製品を広告すること向けの広告メディアを有する、請求項４に記載の方法。
【請求項６】
決定された前記近距離無線通信可能なモバイル通信装置の前記識別子に基づいて前記表示装置に通信すべきコンテンツを選択するステップは、前記モバイル通信装置の前記識別子が決定された時に前記表示装置上で広告されている製品に関連する製品向けの広告メディアを表示することを有する、請求項１に記載の方法。
【請求項７】
前記選択されたコンテンツは前記モバイル通信装置に通信される、請求項１に記載の方法。
【請求項８】
前記選択されたコンテンツは、前記モバイル通信装置のディスプレイ上に表示されることが意図される、請求項７に記載の方法。
【請求項９】
前記選択されたコンテンツは、前記モバイル通信装置のユーザが晒された製品のリストを有する、請求項７に記載の方法。
【請求項１０】
前記選択されたコンテンツは、前記モバイル通信装置の前記識別子が決定された時に前記表示装置上に表示されている製品に関する情報を含んだウェブページへとユーザを導くインターネットアドレスを有する、請求項１に記載の方法。
【請求項１１】
前記選択されたコンテンツは、前記表示装置上に提示されている製品用のクーポンを有する、請求項１に記載の方法。
【請求項１２】
販売場所にて前記モバイル通信装置に、前記モバイル通信装置が受信したクーポンに関する各製品の識別子を通信するステップ、を更に有する請求項１１に記載の方法。
【請求項１３】
前記選択されたコンテンツは、前記表示装置又はコンテンツ再生装置のうちの少なくとも一方の設定パラメータを有する、請求項１に記載の方法。
【請求項１４】
表示装置上のコンテンツとのインタラクションを可能にする装置であって、
プログラムルーチン及びデータを格納するメモリと、
前記プログラムルーチンを実行するプロセッサであり、前記プログラムルーチンを実行するときに：
前記表示装置の近傍にある近距離無線通信可能なモバイル通信装置の識別子を決定するステップであり、前記表示装置は近距離無線通信能力を含む、ステップと、
決定された前記近距離無線通信可能なモバイル通信装置の前記識別子に基づいて、前記表示装置に通信すべきコンテンツを選択するステップと、
を実行するように構成されたプロセッサと、
を有する装置。
【請求項１５】
前記プロセッサはメディア決定エンジンを有する、請求項１４に記載の装置。
【請求項１６】
表示装置上のコンテンツとのインタラクションを可能にするシステムであって、
メディアコンテンツを提供する少なくとも１つのコンテンツソースと、
プログラムルーチン及びデータを格納するメモリと、前記プログラムルーチンを実行するプロセッサとを含む装置であり、前記プロセッサは、前記プログラムルーチンを実行するときに：
前記表示装置の近傍にある近距離無線通信可能なモバイル通信装置の識別子を決定するステップであり、前記表示装置は近距離無線通信能力を含む、ステップと、
決定された前記近距離無線通信可能なモバイル通信装置の前記識別子に基づいて、前記表示装置に通信すべきコンテンツを選択するステップと、
を実行するように構成されている、装置と、
前記選択されたコンテンツと、前記選択されたコンテンツに関連するデータとのうちの少なくとも一方を表示するディスプレイと、
を有するシステム。
【請求項１７】
前記少なくとも１つのコンテンツソースは、広告主、レコード会社及び映画会社のうちの少なくとも１つを有する、請求項１６に記載のシステム。
【請求項１８】
前記装置は、ネットワーク管理センター、ネットワークオペレーションセンター、及びコンテンツ配信ネットワークのうちの少なくとも１つのサーバを有する、請求項１６に記載のシステム。
【発明の詳細な説明】
【技術分野】
【０００１】
本発明は、概して近距離無線通信に関し、より具体的には、近距離無線通信を用いてディスプレイとインタラクトするための方法、装置及びシステムに関する。
【背景技術】
【０００２】
デジタル広告を提供する多くのスクリーン（画面）は、ユーザ又は操作者がディスプレイ及び/又はディスプレイ上のコンテンツとインタラクト（やり取り）するための魅力的な手段を欠いている。一部のスクリーンは、タッチスクリーンを有し、故に、インタラクトするためのプログラム的手段を提供するが（特許文献１及び２）、タッチスクリーンを介して情報を提供／受信することは面倒で時間のかかるものとなり得る。新しい近距離無線通信（ＮＦＣ）技術は、新たなインタラクションをもたらす可能性を提供する。メディアをプログラムする人は、視聴者を一意的に特定する手段を好み、視聴者は、メディア（又は、メディア内に表示される製品）についてのより多くの情報を尋ねるための容易な手段を好む。視聴者は、個人情報を公共システムに提供することを信用しないが、自身の信用できるモバイル（携帯あるいは移動式）装置を介して情報を共有することは殆どの場合あまり厄介でないようである。
【先行技術文献】
【特許文献】
【０００３】
【特許文献１】米国特許第７０２４４５３号明細書
【特許文献２】米国特許第６５３９４１７号明細書
【発明の概要】
【発明が解決しようとする課題】
【０００４】
本発明の実施形態は、近距離無線通信を用いてディスプレイとインタラクトするための方法、装置及びシステムを提供することにより、従来技術の不備を解決する。
【課題を解決するための手段】
【０００５】
本発明の一実施形態において、デジタルスクリーン又はその他の関連メディア装置にＮＦＣチップが含められる。家庭外での広告用途において、ＮＦＣは、例えば買物客などのユーザが、自身を特定してディスプレイ上の製品（又は、関心ある代替製品）についての更なる情報を取得するために、スクリーンとインタラクトすることを可能にする。家庭内での用途において、ＮＦＣインタラクションは、デジタルスクリーン又はメディア装置のユーザを識別することができる。
【０００６】
本発明の更なる他の一実施形態において、例えばディスプレイを設定したり、ディスプレイの状態に関する情報を受信したりする目的で、操作者がＮＦＣを用いてディスプレイと通信することができる。
【０００７】
本発明の一実施形態において、近距離無線通信（ＮＦＣ）を用いて表示装置上のコンテンツとインタラクトするための方法は、近距離無線通信能力を有する前記表示装置の近傍にあるＮＦＣ可能なモバイル通信装置の識別子を決定することと、決定されたＮＦＣ可能なモバイル通信装置の識別子に基づいて、前記表示装置に通信すべきコンテンツを選択することとを含む。
【０００８】
本発明の他の一実施形態において、近距離無線通信（ＮＦＣ）を用いて表示装置上のコンテンツとのインタラトするための装置は、プログラムルーチン及びデータを格納するメモリと、前記プログラムルーチンを実行するプロセッサとを含む。当該装置のプロセッサは、前記プログラムルーチンを実行するときに、近距離無線通信能力を有する前記表示装置の近傍にあるＮＦＣ可能なモバイル通信装置の識別子を決定するステップと、決定されたＮＦＣ可能なモバイル通信装置の識別子に基づいて、前記表示装置に通信すべきコンテンツを選択するステップとを実行するように構成される。
【０００９】
本発明の他の一実施形態において、表示装置上のコンテンツとのインタラクションを可能にするシステムは、メディアコンテンツを提供する少なくとも１つのコンテンツソースと、プログラムルーチン及びデータを格納するメモリと該プログラムルーチンを実行するプロセッサとを含む装置と、選択されたコンテンツ及び選択されたコンテンツに関連するデータのうちの少なくとも一方を表示するディスプレイとを含む。この実施形態において、プロセッサは、前記プログラムルーチンを実行するときに、近距離無線通信能力を有する前記表示装置の近傍にある近距離無線通信可能なモバイル通信装置の識別子を決定するステップと、決定された近距離無線通信可能なモバイル通信装置の識別子に基づいて、前記表示装置に通信すべきコンテンツを選択するステップとを実行するように構成される。
【図面の簡単な説明】
【００１０】
本発明の教示は、以下の詳細な説明を以下の図を含む添付図面とともに検討することにより容易に理解されることができる。
【図１】本発明の一実施形態が適用され得るコンテンツ配信システムを示すハイレベルブロック図である。
【図２】本発明の一実施形態が適用され得る店内広告を提供する店内広告ネットワークを示すハイレベルブロック図である。
【図３】本発明の一実施形態に従った近距離無線通信を用いたディスプレイ上のメディアとのユーザインタラクションを示すシーケンス図である。
【図４】本発明の一実施形態に従ったモバイル装置ディスプレイでの製品表示に関するメディアの表示を示すシーケンス図である。
【図５】本発明の一実施形態に従った近距離無線通信を用いてディスプレイとインタラクションする方法を示すフロー図である。
【図６】本発明の一実施形態に従ったメディア決定エンジン／モジュールを示すハイレベルブロック図である。  理解されるように、図面は、発明の概念を説明するためのものであり、必ずしも、発明を説明するための唯一の可能な構成というわけではない。理解を容易にするため、複数の図に共通する同じ要素は、可能な限り同じ参照符号を用いて指し示している。
【発明を実施するための形態】
【００１１】
本発明は有利には、近距離無線通信を用いてディスプレイとインタラクションする方法、装置及びシステムを提供する。本発明は、主として店内小売広告ネットワーク環境及びスクリーン上のメディアとの消費者通信との関係の範囲内で説明されるが、本発明のそれら具体的な実施形態は、本発明の範囲を限定するものとして扱われるべきでない。当業者に認識されるように、また、本発明の教示により知らされるように、本発明の概念は、例えばビデオ・オン・デマンドシステム及びそれに類するものなど、メディアコンテンツを表示するため、あるいは操作者がディスプレイと通信するために、スクリーン又はディスプレイを利用する如何なるコンテンツ配信ネットワーク又は通信システムにも有利に適用されることが可能である。
【００１２】
図に示される様々な要素の機能は、専用ハードウェア、及び適切なソフトウェアと協働してソフトウェアを実行することが可能なハードウェアの使用を介して提供され得る。プロセッサによって提供されるとき、それらの機能は、単一の専用プロセッサによって、単一の共用プロセッサによって、あるいは一部が共用され得る複数の個別プロセッサによって提供され得る。また、“プロセッサ”又は“コントローラ”なる用語の明示的な使用は、ソフトウェアを実行可能なハードウェアを排他的に意味するものと解釈されるべきでなく、以下に限られないが、デジタル信号プロセッサ（“ＤＳＰ”）ハードウェア、ソフトウェアを格納する読み出し専用メモリ（“ＲＯＭ”）、ランダムアクセスメモリ（“ＲＡＭ”）、不揮発性ストレージなどを暗示的に含み得る。また、本発明の原理、態様及び実施形態、並びにその具体例を記載するここでの全ての記述は、構造的な均等物及び機能的な均等物の双方を包含することを意図したものである。さらに、そのような均等物は現在知られている均等物と将来的に開発される均等物（構造にかかわらず、同じ機能を果たす何らかの開発された要素）との双方を含むことが意図される。
【００１３】
故に、例えば、当業者によって認識されるように、ここに提示されるブロック図は、本原理を具現化する例示的なシステムコンポーネント及び/又は回路を概念的に見たものを表している。同様に、認識されるように、フローチャート、フロー図、状態遷移図、擬似コード、及びそれらに類するものは、コンピュータ又はプロセッサが明示的に示されていようといなかろうと、事実上コンピュータ読み取り可能記憶媒体内に表現されてコンピュータ又はプロセッサによってそのように実行され得る様々な処理を表している。
【００１４】
図１は、本発明の一実施形態が適用され得るコンテンツ配信システムのハイレベルブロック図を示している。図１のコンテンツ配信システム１００は例示的に、少なくとも１つのサーバ１１０と、例えば同調（チューニング）／復号手段などの複数の受信装置（例としてセットトップボックス（ＳＴＢ））１２０１−１２０ｎと、セットトップボックス１２０１−１２０ｎそれぞれのディスプレイ１３０１−１３０ｎとを有している。図１のシステム１００においては複数のセットトップボックス１２０１−１２０ｎの各々が例示的に単一のそれぞれのディスプレイに接続されているが、本発明の他の実施形態において、複数のセットトップボックス１２０１−１２０ｎの各々が２つ以上のディスプレイに接続され得る。また、図１のコンテンツ配信システムにおいては同調／復号手段が例示的にセットトップボックス１２０として示されているが、本発明の他の実施形態において、本発明の同調／復号手段は、例えばディスプレイ１３０内に一体化された同調／復号回路やその他のスタンドアローン同調／復号装置など、他の同調／復号手段を有し得る。さらには、本発明の受信装置は、例えばオーディオコンテンツ、ビデオコンテンツ、及び／又はオーディオ／ビデオコンテンツなどの、コンテンツを受信することが可能な如何なる装置をも含み得る。
【００１５】
本発明の一実施形態において、図１のコンテンツ配信システム１００は、店内広告ネットワークの一部とすることができる。例えば、図２は、店内広告を提供する店内広告ネットワーク２００のハイレベルブロック図を示している。図２の広告ネットワーク２００において、広告ネットワーク２００及び配信システム１００は、音楽記録、ホームビデオ、製品デモンストレーション、広告コンテンツ及びその他のそのようなコンテンツ、並びに店内設定における娯楽コンテンツ、ニュース及び同様の消費者情報コンテンツ、のカタログ作成、配信、提示及び使用追跡を提供するソフトウェアとハードウェアとの組み合わせを使用する。コンテンツは、圧縮された、あるいは非圧縮のビデオ・オーディオストリームフォーマット（例えば、ＭＰＥＧ４／ＭＰＥＧ４Ｐａｒｔ１０／ＡＶＣ−Ｈ．２６４、ＶＣ１、Ｗｉｎｄｏｗｓ  Ｍｅｄｉａなど）にて提示されるコンテンツを含み得るが、このシステムはそれらのフォーマットを使用するもののみに限定されるべきでない。
【００１６】
本発明の一実施形態において、店内広告ネットワーク２００及びコンテンツ配信システム１００の様々な要素を制御するソフトウェアは、ウィンドウ環境及び高性能コンピューティングハードウェアを使用する３２ビットオペレーティングシステム（例えば、ＭＳ−Ｗｉｎｄｏｗｓ（登録商標）又はＸ−Ｗｉｎｄｏｗｓオペレーティングシステム）を含み得る。広告ネットワーク２００は、分散アーキテクチャを利用することができ、一実施形態において、衛星（又はその他の方法、例えば、広域ネットワーク（ＷＡＮ）、インターネット、一連のマイクロ波リンク、若しくは同様の機構）及び店内モジュールを介して、中央化されたコンテンツ管理及び配信制御を提供する。
【００１７】
図２に示すように、店内広告ネットワーク２００及びコンテンツ配信システム１００のコンテンツは、広告主２０２、レコード会社２０４、映画会社２０６、又は他のコンテンツプロバイダ２０８から提供され得る。広告主２０２は、製品製造者、サービス提供者、製造者若しくはサービス提供者を代理する広告会社、又はその他のエンティティとし得る。広告主２０２からのコンテンツを広告することは、コマーシャル、“インフォマーシャル”、製品情報及び製品デモンストレーションなどを含むオーディオビジュアルコンテンツで構成され得る。
【００１８】
レコード会社２０４は、レコードレーベル、音楽出版社、ライセンシング／出版エンティティ（例えば、ＢＭＩ若しくはＡＳＣＡＰ）、個々のアーティスト、又はこのようなその他の音楽関連コンテンツ供給元とし得る。レコード会社２０４は、例えば音楽クリップ（レコーディングされた音楽の短いセグメント）や音楽ビデオクリップなどのオーディオビジュアルコンテンツを提供する。映画会社２０６は、映画スタジオ、映画製作会社、広報係、又は映画産業に関係するその他の供給元とし得る。映画会社２０６は、映画クリップ、男優や女優との事前録画インタビュー、映画批評、“舞台裏”披露、及び同様のコンテンツを提供し得る。
【００１９】
他のコンテンツプロバイダ２０８は、例えば図１のコンテンツ配信システム１００を介して、配信されて表示されることが可能なビデオコンテンツ、オーディオコンテンツ又はオーディオビジュアルコンテンツの如何なる他の提供元ともし得る。
【００２０】
本発明の一実施形態において、コンテンツは、例えば伝統的な記録媒体（テープ、ＣＤ、ビデオ、及びこれらに類するもの）を用いて、ネットワーク・マネジメント・センター（ＮＭＣ）２１０によって調達される。ＮＭＣ２１０に提供されたコンテンツは、配信（例えば、ローカルサイトでコンテンツの配信・表示を行うものであるローカル配信システム１００への配信）に適した形態へとコンパイルされる。
【００２１】
ＮＭＣ２１０は、受信したコンテンツをデジタル化し、それを、デジタル化されたデータファイル２２２の形態でネットワーク・オペレーション・センター（ＮＯＣ）２２０に提供することができる。なお、データファイル２２２は、デジタル化されたコンテンツの観点でこのように称しているが、ストリーミングオーディオ、ストリーミングビデオ、又はその他のこのような情報とすることもできる。ＮＭＣ２１０によって受信されてコンパイルされたコンテンツは、コマーシャル、バンパー、グラフィックス、音声、及びこれらに類するものを含み得る。ファイルは全て、一意的に識別可能であるように好ましく名付けられる。より具体的には、ＮＭＣ２１０は、例えば店舗位置などの特定サイトに狙いを定めてスケジュール又はオンデマンドに基づいて１つ以上の店舗に送達される配信パックを作成する。配信パックは、使用される場合、現場に既に存在する既存コンテンツを置換するか強化するかの何れかを意図したコンテンツを含んでいる（これは、そのサイトのシステムが初めて起動されるのでない限りであり、初めて起動される場合には、送達されるパッケージがそのサイトの最初のコンテンツの基礎を形成することになる）。他の例では、複数のファイルが別々に圧縮されて伝送されてもよいし、何らかの種類のストリーミング圧縮プログラムが使用されてもよい。
【００２２】
ＮＯＣ２２０は、デジタル化されたデータファイル２２２を、この例では、通信ネットワーク２２５を介して商業的な販売店２３０のコンテンツ配信システム１００へと通信する。通信ネットワーク２２５は、複数ある技術のうちの何れの１つで実現されてもよい。例えば、本発明の一実施形態において、商業的販売店２３０のコンテンツ配信システム１００にデジタルデータファイル２２２を配信するために衛星リンクが使用され得る。これは、コンテンツを様々な位置にブロードキャスト（あるいはマルチキャスト）することによって、コンテンツが容易に配信されることを可能にする。他の例では、オーディオビジュアルコンテンツを商業的販売店２３０に配信することと、商業的販売店２３０からのフィードバックを可能にすることとの双方のために、インターネットが使用され得る。本発明の他の実施形態によれば、例えば専用回線、マイクロ波ネットワーク又はその他のこのような機構を用いるなどの、通信ネットワークのその他の実装手法も使用され得る。
【００２３】
コンテンツ配信システム１００のサーバ１１０は、コンテンツ（例えば、配信パック）を受信し、それに従って、該コンテンツを店舗内で、例えばセットトップボックス１２０及びディスプレイ１３０などの様々な受信器に配信することができる。すなわち、コンテンツ配信システム１００において、コンテンツは受信されて、ストリーミング用に構成される。ストリーミングは、共に動作あるいは協調して動作するように構成された１つ以上のサーバによって実行されることができる。ストリーミングコンテンツは、販売店２３０（例えば、店舗）全体の異なる位置又は製品に向けて構成されたコンテンツを含むことができる。例えば、それぞれのセットトップボックス１２０及びディスプレイ1３０は、販売店２３０の至る所の特定の位置に置かれて、各それぞれのセットトップ及びディスプレイの位置から所定の距離内に位置する製品に関するコンテンツを表示し且つその音声を流すようにそれぞれ構成され得る。
【００２４】
コンテンツ配信システム１００のサーバ１１０は、コンテンツを受信して、店舗の至る所の様々な受信器に通信される様々な異なるオーディオ、ビデオ及び／又はオーディオ／ビデオストリームを作成する。これらのストリームは、無線周波数配信上の個々のチャネルの変調オーディオ、ビデオ及び／又はオーディオ／ビデオであってもよいし、ユニキャストあるいはマルチキャストのインターネットプロトコル（ＩＰ）ネットワーク内で複数のデータフローとして伝送されてもよい。これらのストリームは、制御ソフトウェアの同じ論理セット下の１つ以上のサーバに由来し得る。
【００２５】
本発明の様々な実施形態は、近距離無線通信（ＮＦＣ）を用いて例えばメディアスクリーンなどのディスプレイとインタラクトする方法及びシステムを提供する。本発明の様々な実施形態において、例えばシステム１００のディスプレイ１３０などのディスプレイ内にＮＦＣチップが集積される。また、ユーザは、例えば携帯電話又はその他の可搬式モバイル装置などのモバイル装置内に組み込まれて有効にされた同様のチップを活用することで、近距離無線通信を用いて上記ディスプレイ内に集積された上記ＮＦＣチップと通信することができる。
【００２６】
例えば、図１のコンテンツ配信システム１００において、ディスプレイ１３０にＮＦＣチップが集積され、ディスプレイ１３０とユーザのモバイル装置（図示せず）との間でのデータ交換がユーザの識別子に依存するようにされる。この集積は、エレクトロニクスで直接的にチップを用いて行われてもよいし、ＨＤＭＩ  ＣＥＣライン上で例えばセットトップボックス１２５などのメディアプレーヤと通信可能な低ビットレートのシリアルスキームを用いて達成されてもよい。本発明の様々な実施形態において、それぞれのユーザ識別子に関連付けられたユーザ嗜好に関する情報が、例えば図１のサーバ１１０又は図２のシステムのＮＭＣ２１０若しくはＮＯＣ２２０などの中央位置に格納される。従って、或る特定のユーザが識別されるとき、ユーザ嗜好が参照されて、どのような特定のデータを提示すべきか、また、ユーザインタラクションに応答してそのデータを何処でどのように提示すべきかが決定される。
【００２７】
本発明の一実施形態において、携帯電話（又は、その他のＮＦＣ可能なモバイル通信装置）のユーザが、ディスプレイ上で再生されている例えば広告などのコンテンツを見て、そのコンテンツとインタラクトすることを決める。すると、ユーザは自身のＮＦＣ可能装置をディスプレイのＮＦＣアクティブエリアの近傍に位置させる。ディスプレイのＮＦＣアクティブエリアは、一実施形態において、モバイル装置を何処に位置させるべきかを見る者が容易に特定することを可能にするようにマークされる。そして、モバイル装置のユーザがディスプレイに識別され、一実施形態において、例えば、その電子メールアドレス、又はＮＦＣ  ｉｄなどのユーザを識別するためのその他の一意的な手段を提供することにより、続いて広告システムに識別される。そして、コンテンツ配信システム１００が、識別子に基づくアクションを取る。このアクションは、一実施形態において、特定の、ターゲットを定めた広告を示すのと同様の単純なものとし得る。
【００２８】
例えば、図３は、本発明の一実施形態に従った近距離無線通信を用いたディスプレイ上のメディアとのユーザインタラクションについて、そのシーケンス図を示している。図３に示すように、ユーザ（例えば、買物客）がＮＦＣ可能装置をディスプレイのＮＦＣパッド付近に置く。ユーザのＮＦＣ  ＩＤがディスプレイのＮＦＣリーダ（読取機）によって受信される。必要に応じて、ディスプレイのＮＦＣリーダがユーザのＮＦＣ可能装置にアクナリッジメント（Ａｃｋ）を送信してもよい。そして、買物客ＩＤメッセージが、セットトップボックス１２０に存在するメディア決定エンジン／モジュール１２１に通信される。メディア決定エンジン／モジュール１２１は、例えば図１のコンテンツ配信システム１００のサーバ１１０又は図２の店内広告ネットワーク２００のＮＭＣ２１０若しくはＮＯＣ２２０などの、ローカルあるいは遠隔のサーバに存在してもよい。メディア決定エンジン／モジュールにおいて、受信したユーザ識別子に応じたアクションが取られる。例えば、一実施形態において、また図３に示すように、上述のユーザの識別子を受けて、再生するようにスケジュールされていたものに代わるコンテンツピースを再生するよう、ローカルオーバーライドコマンドが再生制御装置に通信され得る。そして、選択されたコンテンツがディスプレイ上で表示される。
【００２９】
図６は、本発明の一実施形態に従ったメディア決定エンジン／モジュール１２１のハイレベルブロック図を示している。より具体的には、図６のメディア決定エンジン／モジュール１２１は例示的に、プロセッサ６１０と、制御プログラム、ファイル情報及び保存メディアなどを格納するメモリ６２０とを有している。プロセッサ６１０は、例えば電源、クロック回路及びキャッシュメモリなどの従来からの支援回路、並びにメモリ６２０に格納されたソフトウェアルーチンの実行を支援する回路と協働する。従って、ここではソフトウェア処理として説明されるプロセスステップの一部は、ハードウェア内で、例えば様々なステップを実行するようにプロセッサ６１０と協働する回路として実装されてもよい。メディア決定エンジン／モジュール１２１はまた、当該メディア決定エンジン／モジュール１２１と通信する様々な機能要素との間のインタフェースを形成する入力／出力回路６４０を含んでいる。
【００３０】
図６のメディア決定エンジン／モジュール１２１は、本発明に従った様々な制御機能を実行するようにプログラムされた汎用コンピュータとして描かれているが、本発明は、例えば特定用途向け集積回路（ＡＳＩＣ）として、ハードウェアで実装されてもよい。従って、ここに記載されるプロセスステップは、プロセッサによって実行されるソフトウェア、ハードウェア、又はこれらの組み合わせによって等価的に実行されるものとして広く解釈されるものである。また、図６のメディア決定エンジン／モジュール１２１は別個のコンポーネントとして描かれているが、ここに記載の本発明の概念及び実施形態に従ったメディア決定エンジン／モジュール１２１の機能は、例えばセットトップボックス、パーソナルビデオレコーダ、デジタルビデオレコーダ、コンテンツプロバイダサーバ、及びこれらに類するものなどの既存のコンテンツ管理システムコンポーネントに組み込まれてもよい。
【００３１】
本発明の他の一実施形態において、上述のＮＦＣにより可能にされるインタラクションから、より複雑なインタラクションがもたらされ得る。そのような複雑なインタラクションの例は、ユーザのモバイル装置上での、関心ある製品に関する更なる情報又は関心ある関連製品に関する情報の提示を含み得る。例えば、スクリーン上の製品がクレンザーである場合、モバイル装置上に表示される製品はモップ及びバケツを含むことができ、製品がデジタルカメラである場合、モバイル装置上の製品はメモリカード及びカメラケースを含むことができる。関連製品の選択は、ユーザの識別の結果としてわかるデータに基づき得る。
【００３２】
例えば、本発明の一実施形態において、関連製品情報の提示は、システムがＮＦＣ可能な通信上でモバイル装置に、製品情報に向かわせるウェブブラウザの起動をもたらすメッセージを送信することによって実行され得る。あるいは、それは、その製品についてもっと説明するビデオを起動したり、その製品のデジタルクーポンを提供したりしてもよい。これはまた、ユーザのために情報を提示したり、その情報を管理したりするモバイルソフトウェアアプリケーションの統合を介して達成されてもよい。この一例は、スクリーン上に表示されている製品にユーザが興味を持っているということであり得る。そのモバイル装置をＮＦＣセンサの近くに置くことでインタラクションが開始され、アプリケーションが維持管理する買い物リスト（又は、ＡＰＩを用いて維持管理されているアプリケーションがサポートするリスト）にその製品が追加される。このような一実施形態において、製品情報はユーザのモバイル装置に直接的に通信されることができる。
【００３３】
例えば、図４は、本発明の他の一実施形態に従ったモバイル装置ディスプレイでの製品表示に関するメディアの表示について、そのシーケンス図を示している。図４に示すように、ユーザがＮＦＣ可能装置をディスプレイのＮＦＣパッド付近に置く。ユーザのＮＦＣ  ＩＤがディスプレイのＮＦＣリーダによって受信される。必要に応じて、ディスプレイのＮＦＣリーダがユーザのＮＦＣ可能装置にアクナリッジメント（Ａｃｋ）を送信してもよい。そして、買物客ＩＤメッセージが、メディア決定エンジン／モジュールに通信される。図４の実施形態においては、例えば何の製品メディアが再生されているかを決定するため、再生制御装置（例えば、セットトップボックス）にクエリが通信される。再生制御装置は、何の製品メディアが再生されているかを特定するメッセージをメディア決定エンジン／モジュールに送信する。そして、メディア決定エンジン／モジュールが、例えばユーザのモバイル装置上に表示されるべきメディアコンテンツを決定し、ＮＦＣ可能な通信を用いてユーザのモバイル装置に通信されるメディア表示命令を決定する。他の例では、上述のように、表示スクリーン上に提示されているメディアコンテンツが、識別されたユーザ／見る者に応じた代替コンテンツでオーバーライドされ得る。
【００３４】
本発明の他の一実施形態において、ソーシャルネットワーキング技術を使用してユーザの友達に製品情報を送信するために、本発明に従ってＮＦＣ可能ディスプレイ上に表示されている広告コンテンツに関係する製品情報が用いられ得る。
【００３５】
本発明の他の一実施形態において、店舗の入口になるディスプレイがその日に販売されている製品についての一連のビデオを表示している広告環境において、ユーザ／買物客は、特定の製品メディアが表示されている間に自身のＮＦＣ可能装置をディスプレイのアクティブＮＦＣパッド付近に置くことで、その製品のクーポンをダウンロードすることができる。システムは、このインタラクションを記録し、その買物客がクーポンをダウンロードしたことを知る。その製品の関心のこの表出は、後の使用のために記録・保存される。このインタラクションの１つの可能な使用法は、例えば会計の時点で、販売場所でクーポンを引き換えなかったことをその買物客に思い出させることである。このような一実施形態は、レジでスクリーン又はＮＦＣリーダを使用し得る。
【００３６】
他の１つの可能なインタラクションは、ユーザ／買物客が自身の装置をＮＦＣパッド上に置くときに、システムが、例えばその買物客のロイヤルティプログラムを介してなど、その他の識別手段を介して知られる情報に基づいて、その買物客を特定的に狙ったメディアの再生を開始するものである。
【００３７】
家庭ネットワークの状況での本発明の他の一実施形態において、スクリーン上のＮＦＣパッドが、ホームシアターシステムに対して視聴者が自身を特定することが可能なことを支援し得る。その場合、幾つかの異なるデータ交換が可能にされる。１つの例は、モバイル装置へのコンテンツ及びデジタルビデオレコーダ（ＤＶＲ）の予約録画スケジュールのダウンロードであり、それにより、ローカルネットワーク上でデータを取得する必要なく、ユーザがモバイル装置を用いてシステムを制御することが可能になる。
【００３８】
本発明の他の一実施形態において、上述のＮＦＣを用いたユーザの識別は、ディスプレイ又は関連再生装置の設定をユーザ嗜好に従って設定するために利用されることができる。例えば、ＤＶＲ及び／又はメディアシステムは、設定及びコンテンツ利用性のために、識別されたユーザの嗜好を選択することを可能にされる。例えば、一ユーザが、特定の輝度レベル又は音声設定を好んだり、容易なアクセスのために自身の記録メディアをメニューのトップに置くことを好んだりすることがある。他の一例は、ユーザ識別子に基づく特定の格付けのメディアのみをメディアシステムに提示させるものであり、恐らくシステムは、識別子が親のものでなければ、Ｇ、ＰＧ又はＰＧ−１３指定のメディアのみをリスト化することになる。このような制御システムは、電源オフ時に、あるいはユーザがそのエリアを立ち去ったときを検出するその他の手段を用いて、あるいは場合によりリモートコントローラ上のニューボタン若しくはタイムアウトを用いて、自身の設定を‘忘れ去る’ことができ得る。
【００３９】
図５は、本発明の一実施形態に従った近距離無線通信を用いてディスプレイのメディアとインタラクションする方法を示すフロー図である。図５の方法５００はステップ５０２で開始し、ＮＦＣ可能なディスプレイの近傍に位置付けられたＮＦＣ可能なモバイル通信装置が、例えば一実施形態においてＮＦＣ  ｉｄから識別される。方法５００はステップ５０４に進む。
【００４０】
ステップ５０４にて、ユーザ識別子に応じて、表示されるべきコンテンツが選択される。例えば上述のように、本発明の一実施形態において、ユーザの識別子を受けて、再生するようにスケジュールされていたものに代わるコンテンツピースを表示するよう、ローカルオーバーライドコマンドが再生制御装置に通信され得る。他の例では上述のように、本発明の他の一実施形態において、特定のユーザの識別子に応答して、広告されている製品に関する更なる情報が表示され、あるいは関心ある関連製品に関する情報が表示され得る。方法５００はステップ５０６に進む。
【００４１】
ステップ５０６にて、選択されたコンテンツが提示のためにディスプレイへと通信される。そして、方法５００は終了され得る。
【００４２】
近距離無線通信を用いてメディアスクリーンとインタラクトするための方法、装置及びシステムの様々実施形態を説明したが（これらは限定ではなく例示を意図したものである）、以上の教示を受けた当業者によって変更及び変形が為され得る。故に、理解されるように、変形は、本発明の範囲及び精神内にある開示の発明の特定の実施形態内で為され得るものである。以上の説明は本発明の様々な実施形態に向けられいるが、本発明の基本的範囲を逸脱することなく、本発明の他の更なる実施形態が考案され得る。
【図１】
2014523674.tif 000003
【図２】
2014523674.tif 000004
【図３】
2014523674.tif 000005
【図４】
2014523674.tif 000006
【図５】
2014523674.tif 000007
【図６】
2014523674.tif 000008
【国際調査報告】
2014523674.tif 000009
2014523674.tif 000010
2014523674.tif 000011